(57)【特許請求の範囲】
【請求項１】
弾性係合片（１４）が嵌合端（１５）方向に向けて設けられて、嵌合端（１５）から挿入されたプラグ型光コネクタ（１）に弾性係合片（１４）がロック係合するようにしたリセプタクル型光コネクタ（１０）において、
弾性係合片（１４）を嵌合端（１５）方向に向けて設けた第１のハウジング（１１）と、光学部品収容部（２４）を形成した第２のハウジング（１２）とから成り、前記第１のハウジング（１１）は、弾性係合片（１４）の弾性変形に適するように調整された充填剤を含有するプラスチックスで成形され、前記第２のハウジング（１２）は、前記第１のハウジング（１１）より多い充填剤を含有するプラスチックスで成形されており、
前記嵌合端（１５）を前方として、前記第１のハウジング（１１）の後方側に前記第２のハウジング（１２）を上方から受け入れる結合空洞（１８）が設けられ、前記第２のハウジング（１２）が結合空洞（１８）に上方から嵌め込まれて、前後及び左右の方向で第１のハウジング（１１）に対する位置が定められていると共に、第２のハウジング（１２）に設けた鍔部（２２）を第１のハウジング（１１）に形成した支持段部（２０）の上面に当接させて上下の方向の位置が定められ、
前記第２のハウジング（１２）に植設したグランドピン（２７）を前記第１のハウジング（１１）に一体化させて第２のハウジング（１２）が上下方向に移動しないようにされていることを特徴とするリセプタクル型光コネクタ。
【請求項２】
第２のハウジング（１２）は、充填剤によって導電性が与えられ、第２のハウジング（１２）に植設したグランドピン（２７）を通して接地できるようにされている請求項１に記載のリセプタクル型光コネクタ。
【発明の詳細な説明】
【０００１】
【発明の属する技術分野】
この発明は、内部に光学素子を収容し、光ファイバの端部に取り付けたプラグ型光コネクタと嵌合により結合できるようにしたリセプタクル型光コネクタに関する。
【０００２】
【従来の技術】
従来、光ファイバと発光ダイオード、フォトトランジスタなどの光学素子を光学的に接続する場合、光ファイバの端部にプラグ型光コネクタを取り付け、光学素子をリセプタクル型光コネクタに収容して、プラグ型光コネクタとリセプタクル型光コネクタを互いに嵌合する接続方式が採られている。リセプタクル型光コネクタには、プラグ型光コネクタのハウジングとロック係合するための弾性係合片が嵌合端方向に向けて設けられている。リセプタクル型光コネクタの嵌合端にプラグ型光コネクタが挿入されると、弾性係合片がプラグ型光コネクタの係合段部にロック係合して嵌合状態が維持できるようにしている（例えば、特開昭６２−７８５０７号公報参照）。
【０００３】
前記のように弾性係合片を設けたリセプタクル型光コネクタでは、プラグ型光コネクタと係合する弾性係合片が十分に弾性変形できるようにすると共に、内部に収容する光学素子を正確な位置に保持できるようにすることが必要である。これまでのリセプタクル型光コネクタでは、ハウジングを成形するプラスチックスに充填剤としてガラス繊維を含有させたり、カーボンフィラーを含有させることが行われている。
【０００４】
【発明が解決しようとする課題】
ハウジングを成形するプラスチックスに充填剤を含有させた場合、充填剤の量を増すに従って、ハウジングの線膨張係数が小さくなると共に、高温時の弾性係数が大きくなる。この為、充填剤を高度に含有させたプラスチックスでハウジングを成形することで、高温時においても光学素子を所定の位置に正確に保持できるリセプタクル型光コネクタが得られている。然しながら、光学素子の正確な保持を優先すると、嵌合端に向けて設けた弾性係合片も弾性係数が大きい為に、変形の際に破損したり、相手方のプラグ型光コネクタの係合段部の摩耗を早める等の問題点があった。
【０００５】
この発明は斯かる問題点に鑑みてなされたもので、光学素子を正確に位置保持できると共に、弾性係合片が適度の弾性変形能を有して、破損の恐れがなく、また、相手方のプラグ型光コネクタを摩耗させないリセプタクル型光コネクタを提供することを目的としている。
【０００６】
【課題を解決するための手段】
前記の目的のもとになされたこの発明は、弾性係合片を設けるハウジングと、光学部品を収容するハウジングを別体として、両ハウジングを一体に結合したものである。
【０００７】
即ちこの発明は、弾性係合片が嵌合端方向に向けて設けられて、嵌合端から挿入されたプラグ型光コネクタに弾性係合片がロック係合するようにしたリセプタクル型光コネクタにおいて、弾性係合片を嵌合端方向に向けて設けた第１のハウジングと、光学部品収容部を形成した第２のハウジングとから成り、前記第１のハウジングは、弾性係合片の弾性変形に適するように調整された充填剤を含有するプラスチックスで成形され、前記第２のハウジングは、前記第１のハウジングより多い充填剤を含有するプラスチックスで成形されており、前記嵌合端を前方として、前記第１のハウジングの後方側に前記第２のハウジングを上方から受け入れる結合空洞が設けられ、前記第２のハウジングが結合空洞に上方から嵌め込まれて、前後及び左右の方向で第１のハウジングに対する位置が定められていると共に、第２のハウジングに設けた鍔部を第１のハウジングに形成した支持段部の上面に当接させて上下の方向の位置が定められ、前記第２のハウジングに植設したグランドピンを前記第１のハウジングに一体化させて第２のハウジングが上下方向に移動しないようにされていることを特徴とするリセプタクル型光コネクタである。
【０００８】
前記ハウジングは、ポリブチレンテレフタレート（ＰＢＴ）樹脂で成形することができ、充填剤にはガラス繊維やカーボンフィラーを用いることができる。
【０００９】
【作用】
このように構成されたこの発明のリセプタクル型光コネクタによれば、弾性係合片を設けた第１のハウジングは、プラスチックスに含有させた充填剤を弾性係合片の弾性変形に適するように調整したので、弾性係合片が適度の弾性変形能を備え、プラグ型光コネクタのハウジングと円滑な係合を可能にし、また、プラグ型光コネクタのハウジングに設けられる係合段部の摩耗を少なくすることができる。
【００１０】
また、光学部品収容部を形成した第２のハウジングは、第１のハウジングより多い充填剤を含有するプラスチックスで成形したので、線膨張係数を可及的に小さくすると共に弾性係数は可及的に大きくすることができ、光学部品を所定の位置に正確に保持することを可能にする。
【００１１】
【発明の実施の形態】
以下、この発明の実施形態を添付の図を参照して説明する。
【００１２】
図１は、第１の実施形態のリセプタクル型光コネクタ１０が相手方のプラグ型光コネクタ１と嵌合してロック係合した状態を断面で示したもので、リセプタクル型光コネクタ１０単独では、図２乃至図５に示したような外観となっている。
【００１３】
このリセプタクル型光コネクタ１０は、ガラス繊維で強化したポリブチレンテレフタレート（ＰＢＴ）樹脂で成形した第１のハウジング１１と、カーボンフィラーで強化したＰＢＴ樹脂で成形した第２のハウジング１２とから成っている。第１のハウジング１１を強化した充填剤であるガラス繊維は１５重量％で含有させた。また、第２のハウジング１２を強化した充填剤のカーボンフィラーはこれよりも多い４０重量％で含有させた。
【００１４】
第１のハウジング１１には、前端側（図１において左側）に嵌合空洞１３が形成されて、嵌合空洞１３内の上部に、プラグ型光コネクタ１の係合段部２にロック係合できるようにした弾性係合片１４が、嵌合端１５に向けて片持ち状態で設けられている。また、嵌合空洞１３内には、嵌合端１５と対向するようにして二つの案内筒１６が並列して設けてあり、プラグ型光コネクタ１のファイバ導入筒３と嵌合できるようにしてある。図１において、４がプラグ型光コネクタ１を取り付けた光ファイバコードであり、５が光ファイバである。
【００１５】
第１のハウジング１１の後端側は、前記弾性係合片１４および案内筒１６の支持壁１７によって前端側と仕切られている。この後端側には、支持壁１７に沿うようにして前記第２のハウジング１２を受け入れられるようにした、略方形の結合空洞１８が上下方向に貫通するようにして形成されている。後壁１９は前端側より低く形成されて、上面を第２のハウジング１２の支持段部２０としてある。そして、この後壁１９の両側部には、上下の方向で、長穴２１が形成されている。
【００１６】
第２のハウジング１２は、この結合空洞１８に対応させて、底面を開口した箱型に成形され、上部後方に、前記支持段部２０を覆うようにした鍔部２２が設けられている。箱型の部分は、内部が仕切り壁２３で左右に仕切られて、それぞれが、底面で開口する光学部品収容部２４とされている。各光学部品収容部２４の前壁２５には、前記第１のハウジング１１の案内筒１６と合致して連通するようにした円孔２６が形成され、案内筒１６で案内されるプラグ型光コネクタ１のファイバ導入筒３が進入できるようにしてある。
【００１７】
第１のハウジング１１と第２のハウジング１２は、第２のハウジング１２を第１のハウジング１１に形成した結合空洞１８に、上方から嵌め込むようにして結合してある。略方形とした結合空洞１８に箱型の第２のハウジング１２を嵌合することで、第２のハウジング１２の前後方向および左右方向の位置が定められ、そして、第２のハウジング１２の鍔部２２が、第１のハウジング１１の後壁１９で形成した支持段部２０の上面に当接して上下方向の位置が定められた時に、光学部品収容部２４の円孔２６が案内筒１６と合致するようにしてある。
【００１８】
この第１のハウジング１１と第２のハウジング１２の結合状態は、鍔部２２の両側部を上下に貫通するようにして植設したグランドピン２７で維持するようにしている。即ち、グランドピン２７の下端側を、後壁１９の長穴２１に挿通すると共に、下端部を長穴２１の底部２１ａに形成した孔２１ｂに嵌入するようにして第１のハウジング１１と一体化させて、第２のハウジング１２が上下の方向で移動しないようにしてある。
【００１９】
グランドピン２７の下端部の、孔２１ｂより下方に突出した部分は、第１のハウジング１１の嵌合空洞１３の両側壁に植設した固定ピン２８と共に、プリント基板などの、このリセプタクル型光コネクタ１０を設置する取付基板（図示せず）に半田付けによって固定できるものである。第２のハウジング１２のプラスチックスの充填剤としてカーボンフィラーを用いたので、第２のハウジング１２には導電性が与えられる。従って、グランドピン２７を取付基板内のグランド回路に半田付けすることによって、第２のハウジング１２が接地電位とされて、光学部品収容部２４を電磁シールドすることができる。
【００２０】
以上のように構成された、このリセプタクル型光コネクタ１０によれば、弾性係合片１４を設けた第１のハウジング１１は、充填剤であるガラス繊維を１５重量％で含有させたＰＢＴ樹脂製としたので、弾性係合片１４に適度の弾性変形能が得られる。この結果、プラグ型光コネクタ１との嵌合の際には弾性係合片１４が折損する恐れは無く、繰り返しの嵌合に耐えることができると共に、プラグ型光コネクタ１側の係合段部２に円滑かつ確実にロック係合することができる。また、適度の弾性変形能を有しているので、プラグ型光コネクタ１側の係合段部２に与える摩耗を少なくすることができる。
【００２１】
光学部品収容部２４を設けた第２のハウジング１２は、第１のハウジング１１に比べて充填剤を多く含有したプラスチックスで成形したので、第１のハウジング１１に比べて線膨張係数は小さく、また、弾性係数を大きくすることができる。この結果、光学部品収容部２４において、光学素子を所定の位置に常時正確に保持することができる。従って、プラグ型光コネクタ１によって導入される光ファイバ５と光学部品の光学的接続条件を良好に維持することができる。
【００２２】
第２のハウジング１２は、前記のように、弾性係数が大きくなるが、プラグ型光コネクタ１との嵌合に際して変形する部分はないので、嵌合および嵌合解除に対してなんら問題を生じない。
【００２３】
前記の実施形態と同様の構造で、第１のハウジング１１はＰＢＴ樹脂に１５重量％のガラス繊維を含有させたプラスチックスで成形する一方で、第２のハウジング１２は３０重量％のガラス繊維を含有させたプラスチックスで成形して、同様のリセプタクル型光コネクタ１０の構成も試みた。
【００２４】
弾性係合片１４は前記の実施形態と同じで、適度の弾性変形能が得られて、プラグ型光コネクタ１との円滑な係合が可能であり、また、係合段部２の摩耗も少なくすることができる。
【００２５】
第２のハウジング１２は、第１のハウジング１１のプラスチックスに対する充填剤よりも多い３０重量％の充填剤を含有させたので、線膨張係数がより小さく、弾性係数はより大きくすることができ、光学部品収容部２４において光学素子を所定の位置に正確に保持することができた。
【００２６】
尚、充填剤の例としてガラス繊維とカーボンフィラーの場合について説明したが、これらに限定されるものでなく他の充填剤とすることもできる。要は、各ハウジングに好適な線膨張係数と弾性係数が得られるように含有量を調整すれば良いものである。また、ハウジングに導電性を与えるものとしてはカーボンフィラーの他に、金属粉なども使用可能である。
【００２７】
【発明の効果】
以上に説明の通り、この発明によれば、弾性係合片には適度の弾性変形能を与え、光学部品収容部は可及的に小さい線膨張係数と可及的に高い弾性係数のハウジングで形成できるので、プラグ型光コネクタとの嵌合および嵌合解除が円滑で、しかも、光学素子は所定の位置に正確に保持できる、高性能のリセプタクル型光コネクタを提供することができる。
【図面の簡単な説明】
【図１】この発明の実施形態の断面図である。
【図２】同じく実施形態の平面図である。
【図３】同じく実施形態の底面図である。
【図４】同じく実施形態の、一部を断面で表した正面図である。
【図５】同じく実施形態の背面図である。
【符号の説明】
１          プラグ型光コネクタ
３          ファイバ導入筒
５          光ファイバ
１０        リセプタクル型光コネクタ
１１        第１のハウジング
１２        第２のハウジング
１４        弾性係合片
１５        嵌合端
１６        案内筒
１８        結合空洞
２４        光学部品収容部
２６        円孔
２７        グランドピン
【図１】
0003654051.tif 000002
【図２】
0003654051.tif 000003
【図３】
0003654051.tif 000004
【図４】
0003654051.tif 000005
【図５】
0003654051.tif 000006